【手続補正書】
【提出日】平成28年5月25日(2016.5.25)
【手続補正１】
【補正対象書類名】特許請求の範囲
【補正対象項目名】全文
【補正方法】変更
【補正の内容】
【特許請求の範囲】
【請求項１】
水塊中での水棲生物の養殖用の照明システムであって、前記照明システムは、
光を放出する少なくとも１つの発光ダイオードをそれぞれが備える水塊中に浸漬される複数の光源と、
前記複数の光源を駆動させる少なくとも１つの光駆動装置と、
前記水塊中に位置する少なくとも１つの対象点に関する照度データを提供する少なくとも１つの光センサと、
制御装置とを備え、前記制御装置が、
前記少なくとも１つの対象点に関する目標照度設定値を受信し、
前記少なくとも１つの光センサから前記少なくとも１つの対象点に関する前記照度データを受信し、
前記少なくとも１つの対象点における、前記受信された目標照度設定値と、受信された照度データとに基づいて、前記複数の光源のための制御信号を決定し、
決定された制御信号を前記少なくとも１つの光駆動装置に提供し、これにより、前記少なくとも１つの対象点に目標照度の光を達成するように前記複数の光源を駆動させ、
前記複数の光源は、前記少なくとも１つの対象点における前記目標照度の光を発するよう個別に制御可能である、
照明システム。
【請求項２】
環境光データを提供するための少なくとも１つの環境光センサを更に備え、
前記制御装置が、更に、
前記少なくとも１つの環境光センサから前記環境光データを受信し、
前記環境光データに基づいて前記制御信号を決定する、
請求項１に記載の照明システム。
【請求項３】
前記制御装置が、前記目標照度設定値を決定するための入力として前記環境光データを使用する請求項２に記載の照明システム。
【請求項４】
複数の光源と複数の光センサとを備えた請求項１乃至３のいずれか一項に記載の照明システムであって、
各前記光源が、前記水塊中で互いに異なる浸漬深さに配置され、
各前記光源が、１つ又は複数の光駆動装置によって駆動される時に光を放出する１つ又は複数の発光ダイオードを備え、
前記複数の光センサが、前記複数の光センサそれぞれに関連付けられる対象点に関する照度データを提供するために前記複数の光源の１つ又は複数に対して配置され、
前記制御装置が、
各前記光源に関する目標照度設定値を受信し、前記対象点に関する各前記光センサからの照度データを受信し、
任意選択的に、少なくとも１つの環境光センサから環境光データを受信し、
前記受信された目標照度設定値と、前記複数の光センサからの前記照度データと、任意選択的に前記少なくとも１つの環境光センサからの前記環境光データとに基づいて制御信号を決定し、
各前記光源に関して決定された制御信号を前記１つ又は複数の光駆動装置に提供し、これにより、前記複数の光源それぞれに関連付けられる前記目標照度設定値に対応する目標照度の光を前記対象点に放出するように前記光源を駆動させる、
照明システム。
【請求項５】
前記少なくとも１つの光センサが、前記少なくとも１つの光源と一体化される、請求項１乃至４のいずれか一項に記載の照明システム。
【請求項６】
前記少なくとも１つの対象点に関する温度データを提供する少なくとも１つの温度センサを更に備え、
前記制御装置が、更に、
前記少なくとも１つの温度センサから前記温度データを受信し、
受信された温度データにも基づいて制御信号を決定し、
決定された制御信号を前記少なくとも１つの光駆動装置に提供し、これにより、前記少なくとも１つの対象点に前記目標照度の光を放出するように前記少なくとも１つの光源を駆動させる、
請求項１乃至５のいずれか一項に記載の照明システム。
【請求項７】
前記水塊中での前記少なくとも１つの光源の浸漬深さを調節する少なくとも１つの位置アクチュエータを更に備え、前記浸漬深さが、前記水塊の表面と前記少なくとも１つの光源との間の垂直距離に関連付けられ、
前記制御装置が、更に、
前記少なくとも１つの光源に関する目標位置設定値を受信し、
前記少なくとも１つの光源に関する現行位置データを決定し、
受信された目標位置設定値と、決定された現行位置データとに基づいて制御信号を決定し、
決定された制御信号を前記少なくとも１つの位置アクチュエータに提供し、これにより、前記少なくとも１つの光源を前記水塊中の目標位置に位置決めする、
請求項１乃至６のいずれか一項に記載の照明システム。
【請求項８】
請求項１乃至７のいずれか一項に記載の照明システムと、
水中生簀とを備える、水棲生物の養殖用の装置であって、
前記照明システムが、前記水中生簀を照明し、前記少なくとも１つの対象点が、前記水中生簀内部に位置される、
装置。
【請求項９】
餌分注装置を更に備え、
前記制御装置が、前記水中生簀内での前記餌分注装置からの餌分注と、前記少なくとも１つの光源を駆動させるための前記制御信号の決定とを連係させる、請求項８に記載の装置。
【請求項１０】
水棲生物の養殖用の照明システムにおいて光を制御するための方法であって、前記照明システムは、光を放出する少なくとも１つの発光ダイオードをそれぞれが備える水塊中に浸漬される複数の光源と、前記複数の光源を駆動させる少なくとも１つの光駆動装置と、前記水塊中に位置する少なくとも１つの対象点に関する照度データを提供する少なくとも１つの光センサと、制御装置とを備え、
前記方法は、
前記少なくとも１つの対象点に関する目標照度設定値を受信するステップと、
前記少なくとも１つの光センサから前記少なくとも１つの対象点に関する前記照度データを受信するステップと、
前記少なくとも１つの対象点における、前記受信された目標照度設定値と、受信された照度データとに基づいて、前記複数の光源のための制御信号を決定するステップと、
決定された制御信号を前記少なくとも１つの光駆動装置に提供し、これにより、前記少なくとも１つの対象点に目標照度の光を達成するように前記複数の光源を駆動させるステップと
を含み、
前記決定するステップは、前記少なくとも１つの対象点における前記目標照度の光を発生させる、前記複数の光源のための個別制御信号を決定するステップを含む、方法。
【請求項１１】
少なくとも１つの環境光センサから環境光データを受信するステップと、
制御装置において、前記少なくとも１つの環境光センサから前記環境光データを受信するステップと、
前記少なくとも１つの光源を駆動させるために、前記環境光データに基づいて前記制御信号を決定するステップと
を更に含む、請求項１０に記載の方法。
【請求項１２】
前記目標照度設定値を決定するための入力として前記環境光データを使用するステップを更に含む、請求項１１に記載の方法。
【請求項１３】
複数の光源と複数の光センサとを備える照明システムであって、各前記光源が水塊中で異なる浸漬深さに配置され、各前記光源が１つ又は複数の光駆動装置によって駆動される時に光を放出する１つ又は複数の発光ダイオードを備え、前記複数の光センサが前記複数の光源の１つ又は複数に対して配置され、前記複数の光センサが前記複数の光センサそれぞれに関連付けられる対象点に関する照度データを提供する前記照明システムにおいて光を制御するための請求項１０乃至１２のいずれか一項に記載の方法であって、
前記方法は、
各前記光源に関する目標照度設定値を受信し、前記対象点に関する各前記光センサからの照度データを受信するステップと、
任意選択的に、少なくとも１つの環境光センサから環境光データを受信するステップと、
受信された目標照度設定値と、前記複数の光センサからの前記照度データと、任意選択的に前記少なくとも１つの環境光センサからの前記環境光データとに基づいて制御信号を決定するステップと、
各前記光源に関して決定された制御信号を前記１つ又は複数の光駆動装置に提供し、これにより、前記複数の光源それぞれに関連付けられる前記目標照度設定値に対応する目標照度の光を前記対象点に放出するように前記光源を駆動させるステップと
を含む、方法。
【請求項１４】
前記照明システムは、前記少なくとも１つの対象点に関する温度データを提供する少なくとも１つの温度センサを更に備え、
前記方法は、
前記少なくとも１つの温度センサから前記温度データを受信するステップと、
受信された温度データにも基づいて制御信号を決定するステップと、
決定された制御信号を前記少なくとも１つの光駆動装置に提供し、これにより、前記少なくとも１つの対象点に前記目標照度の光を放出するように前記少なくとも１つの光源を駆動させるステップと
を更に含む、請求項１０乃至１３のいずれか一項に記載の方法。
【請求項１５】
前記照明システムは、前記水塊中での前記少なくとも１つの光源の浸漬深さを調節する少なくとも１つの位置アクチュエータを更に備え、前記浸漬深さが、前記水塊の表面と前記少なくとも１つの光源との間の垂直距離に関連付けられ、
前記方法は、
前記少なくとも１つの光源に関する目標位置設定値を受信するステップと、
前記少なくとも１つの光源に関する現行位置データを決定するステップと、
受信された目標位置設定値と、決定された現行位置データとにも基づいて制御信号を決定するステップと、
決定された制御信号を前記少なくとも１つの位置アクチュエータに提供し、これにより、前記少なくとも１つの光源を前記水塊中の目標位置に位置決めするステップと
を更に含む、請求項１０乃至１４のいずれか一項に記載の方法。